(57)【要約】【課題】サブバッグを備えたキャディバッグにおいて、サブバッグの不用意な脱落を防止することを解決すべき課題とする。【解決手段】メインバッグ２には、側方へ開口され前記サブバッグ３が格納されるサブバッグ格納部５が設けられ、メインバッグのサブバッグ格納部の側部とサブバッグとの間に、これらを係脱可能に連結するワンタッチファスナー１０が設けられ、このワンタッチファスナーが、弾性変形可能な係合爪１１ａを備えた雄部１１と、係合爪が嵌合させられて、その弾性により嵌合方向に係合させられる係止面１２ａを備えた雌部１２と、これらの雄部および雌部を前記メインバッグと前記サブバッグとに固定する固定バンド１３と、を備えている。【選択図】図１
2020114376.tif 000002
【特許請求の範囲】
【請求項１】
ゴルフクラブが収納されるメインバッグと、このメインバッグの側部に着脱可能に格納され、前記ゴルフクラブの数本を収納可能なサブバッグとを備えたキャディバッグであって、前記メインバッグには、側方へ開口され前記サブバッグが格納されるサブバッグ格納部が設けられ、前記メインバッグの前記サブバッグ格納部の側部と前記サブバッグとの間に、これらを係脱可能に連結するワンタッチファスナーが設けられ、このワンタッチファスナーが、弾性変形可能な係合爪を備えた雄部と、前記係合爪が嵌合させられて、その弾性により嵌合方向に係合させられる係止面を有する雌部と、これらの雄部および雌部を前記メインバッグと前記サブバッグとに固定する固定バンドと、を備えているキャディバッグ。
【請求項２】
前記サブバッグには、このサブバッグの側面に沿った収納位置と、このサブバッグに対し所定角度で引き出された使用位置との２位置間で揺動可能となされたスタンドが設けられている、請求項１に記載のキャディバッグ。
【請求項３】
前記サブバッグと前記スタンドとの間には、前記スタンドを使用位置に揺動させる押し出し機構が設けられており、この押し出し機構が、前記サブバッグを傾斜させた際にこのサブバッグの上方へ向けて移動させられるプッシュロッドと、このプッシュロッドの上方への移動を、前記スタンドを使用位置に揺動させる動きに変換する運動変換部材と、を備えている請求項２に記載のキャディバッグ。
【請求項４】
前記サブバッグの上部には持ち運び用の取っ手が設けられ、この取っ手が逆Ｕ字状に形成されており、前記サブバッグを前記サブバッグ格納部に格納した際に、前記メインバッグの上縁部に係合させられるように構成されている請求項１ないし請求項３の何れかに記載のキャディバッグ。
【請求項５】
前記サブバッグの外周面には、前記サブバッグの接触面に対する接触圧を低減させるサブバッグ用緩衝部材が設けられている請求項１ないし請求項４の何れかに記載のキャディバッグ。
【請求項６】
前記サブバッグ用緩衝部材は、前記サブバッグの上下方向に摺動自在に設けられている請求項５に記載のキャディバッグ。
【請求項７】
前記押し出し機構の外周面には、前記押し出し機構の接触面に対する接触圧を低減させる押し出し機構用緩衝部材が設けられている請求項３に記載のキャディバッグ。
【発明の詳細な説明】
【技術分野】
【０００１】
本発明はキャディバッグに係わり、特に、キャディバッグに収納されているゴルフクラブの数本を小分けして持ち運ぶことを可能にしたキャディバッグに関するものである。
【背景技術】
【０００２】
一般的なゴルフプレーヤーは、使用するクラブの全てをキャディバッグに収納するとともに、このキャディバッグをカートに積み、プレイ時に、必要なクラブをその都度キャディバッグから抜き取って使用している。
【０００３】
一方、特に、２打目以降で必要な飛距離が不確かな場合、あるいは、ボールのライが不確かな場合等には、複数のクラブをキャディバッグから抜き取ってプレイ地点とカート間を往復することが多々ある。
【０００４】
そして、プレイを終えてカートに戻る際に、プレイ地点へ携行したクラブをプレイ地点に置き忘れてしまうことがある。
【０００５】
このようなクラブの置き忘れを防止するために、たとえば、特許文献１に示されるように、キャディバッグ本体の側面に凹部を形成し、この凹部内に、クラブを小分けするサブバッグを着脱可能に収納するようにしたキャディバッグが提案されている。
【０００６】
前記サブバッグは、その下端部においてキャディバッグ本体に係合させ、その上端部を前記キャディバッグ本体の側面に設けた固定バンドで拘束することによって、前記キャディバッグ本体に着脱可能に装着された構成となっている。
【０００７】
そして、プレイ時に、前記サブバッグをキャディバッグ本体から取り外しておき、このサブバッグに数本のクラブを入れてプレイ地点へ持ち運ぶようにしている。
【０００８】
このようなサブバッグを用いると、使用したクラブをプレイ後にサブバッグに戻す動作が必要となることから、クラブの置き忘れを防止することができる。
【先行技術文献】
【特許文献】
【０００９】
【特許文献１】特開２０１６−１４７０７８号公報
【発明の概要】
【発明が解決しようとする課題】
【００１０】
ところで、前述した従来の技術においては、サブバッグとキャディバッグ本体との固定を、サブバッグの下端部をキャディバッグに係合させ、かつ、サブバッグの上端部を前記キャディバッグ本体の側面に設けた固定バンドで拘束する構成としている。
【００１１】
このような固定構造であると、サブバッグの固定が不安定で有り、このサブバッグを装着した状態でキャディバッグを持ち運ぶ場合、前記固定バンドが何かに接触して外れてしまい、これによって、前記サブバッグがキャディバッグ本体から離脱してしまう。
【００１２】
本発明は、前述した従来の技術において残されている問題点を解決せんとしてなされたもので、サブバッグを備えたキャディバッグにおいて、サブバッグの不用意な脱落を防止することを解決すべき課題とする。
【課題を解決するための手段】
【００１３】
本発明のキャディバッグは、前述した課題を解決するために、ゴルフクラブが収納されるメインバッグと、このメインバッグの側部に着脱可能に格納され、前記ゴルフクラブの数本を収納可能なサブバッグとを備えたキャディバッグであって、前記メインバッグには、側方へ開口され前記サブバッグが格納されるサブバッグ格納部が設けられ、前記メインバッグの前記サブバッグ格納部の側部と前記サブバッグとの間に、これらを係脱可能に連結するワンタッチファスナーが設けられ、このワンタッチファスナーが、弾性変形可能な係合爪を備えた雄部と、前記係合爪が嵌合させられて、その弾性により嵌合方向に係合させられる係止面を有する雌部と、これらの雄部および雌部を前記メインバッグと前記サブバッグとに固定する固定バンドと、を備えている。
【００１４】
このような構成とすることにより、前記サブバッグを前記メインバッグのサブバッグ格納部に格納し、これらをワンタッチファスナーによって連結することによりキャディバッグが構成される。
【００１５】
前記サブバッグを前記メインバッグに装着するには、まず、前記サブバッグを、前記メインバッグに設けられた前記サブバッグ格納部に挿入する。
【００１６】
このように前記サブバッグを前記サブバッグ格納部に挿入した状態で、前記サブバッグの外面が、前記サブバッグ格納部の内面に接触させられ、この面接触によって前記サブバッグが保持される。
【００１７】
ついで、前記メインバッグとサブバッグとをワンタッチファスナーを用いて連結することにより、前記メインバッグとサブバッグとが前述した接触状態に保持されて、これらが安定した状態に保持される。
【００１８】
ここで、前記固定バンドの長さを適宜設定しておくことにより、前記メインバッグとサブバッグとの接触圧が適切に保持され、また、前記メインバッグとサブバッグとの上下方向の位置ずれが防止される。
【００１９】
これによって、前記サブバッグがメインバッグにより安定した状態で格納される、前記サブバッグが、前記メインバッグから不用意に脱落してしまうようなことはない。
【００２０】
そして、前記サブバッグを前記メインバッグから取り外すには、前述した格納の手順と逆の手順を行なえばよい。
【００２１】
前記サブバッグに、このサブバッグの側面に沿った収納位置と、このサブバッグに対し所定角度で引き出された使用位置との２位置間で揺動可能となされたスタンドを設けることができる。
【００２２】
このような構成とすることにより、前記スタンドを引き出すことにより、前記サブバッグを傾斜した姿勢で自立させることができる。
【００２３】
これによって、たとえば、ゴルフのプレイ中に用いる際に、小分けされたクラブの選択を容易にし、また、これらのクラブを立てた状態とすることにより、これらのクラブの置き忘れを防止することができる。
【００２４】
一方、前記スタンドは、前記サブバッグをメインバッグに格納した状態において、前記メインバッグに形成されたサブバッグ格納部から外部へ露出されていることから、サブバッグをメインバッグに格納した状態においても、このメインバッグに対して引き出すことができる。
【００２５】
したがって、このスタンドによってキャディバッグも、傾斜して安定した姿勢で自立させることができる。
【００２６】
前記サブバッグと前記スタンドとの間に、前記スタンドを使用位置に揺動させる押し出し機構が設け、この押し出し機構を、前記サブバッグを傾斜させた際にこのサブバッグの上方へ向けて移動させられるプッシュロッドと、このプッシュロッドの上方への移動を、前記スタンドを使用位置に揺動させる動きに変換する運動変換部材と、によって構成することができる。
【００２７】
このような構成とすることにより、サブスタンドを地面に置いて傾斜させると、前記プッシュロッドが上方へ移動させられるとともに、運動変換部材によって前記スタンドがサブスタンドから自動的に引き出される。
【００２８】
これによって、サブスタンドを、傾斜させると入った簡便な操作によって自立させることができる。
このような作用は、サブバッグを格納した状態のメインバッグに対しても同様に得られる。
【００２９】
また、前記サブバッグの上部に、持ち運び用の取っ手を設けるとともに、この取っ手を逆Ｕ字状に形成しておき、前記サブバッグを前記サブバッグ格納部に格納した際に、前記取っ手を前記メインバッグの上縁部に係合させる構成とすることもできる。
【００３０】
このような構成とすることにより、前記サブバッグを単独で用いる際の持ち運びを容易にすることができる。
【００３１】
また、収納時における前記サブバッグの上部と前記メインバッグとを係合させることにより、前記サブバッグの、収納時における不要な動きを抑制することができる。
【００３２】
また、サブバッグの外周面に、前記サブバッグの接触面に対する接触圧を低減させるサブバッグ用緩衝部材を設ける構成とすることもできる。
【００３３】
このような構成とすることにより、例えば接触面がグリーンの場合、繊細なグリーンの芝をサブバッグにより傷つけてしまう恐れがなくなるため、ゴルフ初心者でも、サブバッグを自身の近傍に配置した状態で、安心してプレイを行うことができる。
【００３４】
また、サブバッグ用緩衝部材を、前記サブバッグの上下方向に摺動自在に設ける構成とすることもできる。
【００３５】
このような構成とすることにより、接触面の表面形状やサブバッグの重量バランス等に合わせて、第一サブバッグ用緩衝部材を適宜摺動させることで、サブバッグを寝かせて使用する際、安定的にサブバッグを接触面に載置することができる。
【００３６】
また、前記押し出し機構の外周面に、前記押し出し機構の接触面に対する接触圧を低減させる押し出し機構用緩衝部材を設ける構成とすることもできる。
【００３７】
このような構成とすることにより、サブバッグを傾斜した姿勢で自立させて使用する際にも、接触面をサブバッグにより傷つけてしまう恐れがなくなる。
【発明の効果】
【００３８】
本発明のキャディバッグによれば、サブバッグを備えたキャディバッグにおいて、サブバッグの不用意な脱落を防止することができる。
【図面の簡単な説明】
【００３９】
【図１】本発明の一実施形態を示す正面図である。
【図２】本発明の一実施形態を示す左側面図である。
【図３】本発明の一実施形態を示すもので、メインバッグおよびサブバッグの上端部の概略平面図である。
【図４】本発明の一実施形態を示すもので、メインバッグおよびサブバッグの上端部の概略平面図である。
【図５】本発明の一実施形態を示すもので、キャディバッグを自立させた状態を示す側面図である。
【図６】本発明の一実施形態を示すもので、サブバッグを取り外した状態を示すメインバッグの正面図である。
【図７】本発明の一実施形態を示すもので、サブバッグの正面図である。
【図８】本発明の一実施形態を示すもので、サブバッグの左側面図である。
【図９】本発明の一実施形態を示すもので、サブバッグを自立させた状態を示す左側面図である。
【図１０】本発明の一実施形態にかかるサブバッグの使用に用いられるホルダーの斜視図である。
【図１１】本発明の一実施形態にかかるサブバッグの使用方法を示すゴルフカートの斜視図である。
【図１２】本発明の他の実施形態を示すもので、サブバッグの正面図である。
【図１３】本発明の他の実施形態を示すもので、サブバッグの左側面図である。
【図１４】本発明の他の実施形態を示すもので、（ａ）サブバッグを自立させた状態を示す左側面図、（ｂ）スタンドを折り畳み、サブバッグを寝かせた状態を示す左側面図である。
【発明を実施するための形態】
【００４０】
以下、本発明の一実施形態を、図１〜図１１を参照して説明する。
図１において、符号１は本実施形態に係わるキャディバッグを示す。
【００４１】
本実施形態のキャディバッグ１は、ゴルフクラブが収納されるメインバッグ２と、このメインバッグ２の側部に着脱可能に装着され、前記ゴルフクラブの数本を収納可能なサブバッグ３と、を備えている。サブバッグ３には、このサブバッグ３の側面に沿った収納位置と、このサブバッグ３に対し所定角度で引き出された使用位置との２位置間で揺動可能となされたスタンド４が設けられている。メインバッグ２の側面には、上方および側方へ開口され、サブバッグ３が着脱可能に格納されるサブバッグ格納部５が設けられている。そして、このサブバッグ格納部５にサブバッグ３を収納した状態において、スタンド４が、メインバッグ２の側面に露出させられるようになっている。
【００４２】
サブバッグ格納部５は、メインバッグ２の側部にその長さ方向に沿って形成された格納凹部Ａと、この格納凹部Ａの両側縁からこの格納凹部Ａの内側へ向けて延設された格納鍔部Ｂとによって構成され、この格納鍔部Ｂ間に所定の隙間Ｇが形成されている。
【００４３】
サブバッグ３には、スタンド４との間に、スタンド４を使用位置に揺動させる押し出し機構６が設けられており、この押し出し機構６が、サブバッグ３をサブバッグ格納部５に収納した際に、格納鍔部Ｂ間の隙間Ｇに位置させられるようになっている。
【００４４】
スタンド４は、上端部がサブバッグ３の上端部に揺動可能に連結された一対の支持ロッド７を備え、この支持ロッド７が押し出し機構６によって外側に所定角度揺動させられるようになっている。
【００４５】
押し出し機構６は、サブバッグ３の側部に、その長さ方向（図において上下方向）に移動可能に装着されたプッシュロッド６ａと、このプッシュロッド６ａの上端部と支持ロッド７の上端部との間に介装され、サブバッグ３の側面に固定された運動変換部材６ｂとによって構成されている。
【００４６】
プッシュロッド６ａは、その下端が、図７および図８に示すように、サブバッグ３の下端より下方へ突出する長さに形成されている。
【００４７】
運動変換部材６ｂは、このプッシュロッド６ａの上方への移動により、支持ロッド７を、その上端部を中心としてサブバッグ３の外方へ所定角度揺動させるようになっている。
【００４８】
メインバッグ２の上方開口部には、図３および図４に示すように、収納される複数のクラブを数本毎に振り分ける仕切り８が設けられている。
【００４９】
サブバッグ３の上部には持ち運び用の取っ手９が設けられ、この取っ手９が逆Ｕ字状に形成されており、サブバッグ３をサブバッグ格納部５に格納した際に、図４に示すように、メインバッグ２の上縁部へ係合させられるようになっている。
【００５０】
さらに、メインバッグ２の、サブバッグ格納部５の側部とサブバッグ３との間に、これらを係脱可能に連結するワンタッチファスナー１０が設けられ、このワンタッチファスナー１０が、弾性変形可能な係合爪１１ａを備えた雄部１１と、係合爪１１ａが嵌合させられて、その弾性により嵌合方向に係合させられる係止面１２ａを備えた雌部１２と、これらの雄部１１および雌部１２をメインバッグ２とサブバッグ３とに固定する固定バンド１３とによって構成されている。
【００５１】
このように構成された本実施形態のキャディバッグ１は、サブバッグ３をメインバッグ２のサブバッグ格納部５に格納し、これらをワンタッチファスナー１０によって連結することにより構成される。
【００５２】
サブバッグ３をメインバッグ２に装着するには、まず、サブバッグ３をメインバッグ２に設けられたサブバッグ格納部５に上方から挿入する。
【００５３】
これによって、サブバッグ３を格納凹部Ａ内に位置させるとともに、その略下半分を格納鍔部Ｂ内に位置させる。
【００５４】
このような状態で、サブバッグ３の裏面側がサブバッグ格納部５の内面に接触させられ、外面側が格納鍔部Ｂの内面に接触させられ、これらの接触によってサブバッグ３がメインバッグ２に保持される。
【００５５】
ついで、メインバッグ２とサブバッグ３とをワンタッチファスナー１０を用いて連結することにより、メインバッグ２とサブバッグ３とを連結する。
【００５６】
ここで、固定バンド１３の長さを適宜設定しておくことにより、メインバッグ２とサブバッグ３との接触圧を適切に保持し、また、メインバッグ２とサブバッグ３との上下方向の位置ずれを防止することができる。
【００５７】
これによって、サブバッグ３をメインバッグ２に安定した状態で格納し、サブバッグ３がメインバッグ２から不用意に脱落してしまうことを防止することができる。
【００５８】
そして、サブバッグ３をメインバッグ２から取り外すには、前述した格納の手順と逆の手順を行なえばよい。
ここで、サブバッグ３の取り出しや格納動作を、ワンタッチファスナー１０の連結やその解除といった簡便な操作で行うことができる。
【００５９】
一方、サブバッグ３を図８に示すように直立状態で地面に立てると、プッシュロッド６ａが地面によってサブバッグ３の上方へ押し上げられる。
【００６０】
このようなプッシュロッド６ａとサブバッグ３の相対移動が、運動変換部材６ｂにより支持ロッド７に外方へ向かう揺動動作に変換される。
【００６１】
これによって、支持ロッド７がサブバッグ３から所定角度突出した状態に保持される。
そして、この状態で、サブバッグ３を傾斜させて支持ロッド７の下端を地面に当接させることにより、図９に示すように、サブバッグ３を傾斜した姿勢で自立させることができる。
【００６２】
これによって、たとえば、ゴルフのプレイ中に用いる際に、小分けされたクラブの選択を容易にし、また、これらのクラブを立てた状態とすることにより、これらのクラブの置き忘れを防止することができる。
【００６３】
一方、スタンド４は、サブバッグ３をメインバッグ２に格納した状態において、メインバッグ２に形成されたサブバッグ格納部５から外部へ露出されていることから、サブバッグ３をメインバッグ２に格納した状態においても、このメインバッグ２に対して外部へ引き出すことができる。
【００６４】
したがって、このスタンド４によってキャディバッグ１も、安定した傾斜姿勢で自立させることができる。
【００６５】
また、サブバッグ３に取っ手９を設けたことにより、サブバッグ３を単独で用いる際の持ち運びを容易にすることができるとともに、サブバッグ３をサブバッグ格納部５に格納した際に、取っ手９をメインバッグ２の上縁部に係合させることにより、サブバッグ３をメインバッグ２に、より安定した状態に保持することができる。
【００６６】
一方、プレーヤーは、サブバッグ３を、ショットを終えた後にゴルフカートへ持ち帰るとともに、つぎのショット位置まで抱えた状態で運ぶ。
ここで、プレーヤーは、ゴルフカート上でスコアの記入等の作業を行なうことが多いが、サブバッグ３を抱えた状態では、前述したような作業の邪魔になる。
【００６７】
このような不具合を解消するための一例を、図１０および図１１を参照して説明する。
【００６８】
本例は、図において符号２０で示す補助具を用いるもので、この補助具２０は、サブバッグ３が挿入可能な内径を有する円筒状の補助具本体２１と、この補助具本体２１の側面に固定されたクリップ２２とによって構成され、このクリップ２２は、図示例では、下方へ向けて開放されている。
【００６９】
補助具２０は、ゴルフカートＣにメインバッグ２を固定するために設けられている固定バンドＶ、あるいは、ゴルフカートＣに設けられているステー(図示略）等に、クリップ２２を介して装着される。
【００７０】
そして、プレーヤーは、ゴルフカートＣに持ち帰ったサブバッグ３を、ゴルフカートＣに装着された補助具２０の補助具本体２１にその上方から挿入してゴルフカートＣに収納する。
【００７１】
これによって、プレーヤーはサブバッグ３を支える必要がなくなり、ゴルフカートＣ上での諸作業を容易に行なうことができる。
【００７２】
以下、本発明の他の実施形態を、図１２〜図１４を参照して説明する。
なお、同実施形態において、先の実施形態と基本的に同一の構成要素については、同一符号を付してその説明を簡略化する。
【００７３】
図１２及び図１３に示すように、本実施形態に係るサブバッグ３には、先の実施形態と同様に、サブバッグ３の側面に沿った収納位置と、サブバッグ３に対し所定角度で引き出された使用位置との２位置間で揺動可能となされた、スタンド４が設けられている。
【００７４】
また、本実施形態に係るサブバッグ３には、先の実施形態と同様に、スタンド４との間に、スタンド４を使用位置に揺動させる押し出し機構６と、メインバッグ２の雄部１１と係合する雌部１２と、メインバッグ２の上縁部へ係合させられる、持ち運び用の取っ手９と、が設けられている。
【００７５】
上記した本実施形態に係るサブバッグ３に設けられた部材は、先の実施形態のサブバッグ３に設けられた部材と同一の構成であるため、その説明を省略する。
【００７６】
ここで、本実施形態に係るサブバッグ３の外周面には、サブバッグ３の接触面に対する接触圧を低減させるサブバッグ用緩衝部材ＳＣが設けられている。
また、本実施形態に係る押し出し機構６の外周面には、押し出し機構６の接触面に対する接触圧を低減させる押し出し機構用緩衝部材ＰＣが設けられている。
【００７７】
詳述すれば、サブバッグ用緩衝部材ＳＣは、一対の支持ロッド７の上端部の外周面に設けられている第一サブバッグ用緩衝部材ＳＣ１と、一対の支持ロッド７の上端部の外周面に設けられている第二サブバッグ用緩衝部材ＳＣ２と、により構成されている。
また、押し出し機構用緩衝部材ＰＣは、一対のプッシュロッド６ａの下端部の外周面に設けられている。
【００７８】
第一サブバッグ用緩衝部材ＳＣ１は、図１２〜図１４では各支持ロッド７の上端部に設けられているが、無底円筒状に構成され、支持ロッド７に挿通されていることで、支持ロッド７の延びる方向に沿って、サブバッグの上下方向に摺動自在に構成されている。
なお、第二サブバッグ用緩衝部材ＳＣ２及び押し出し機構用緩衝部材ＰＣは、それぞれ支持ロッド７及び押し出し機構６に対して着脱可能に設けられていても良い。
【００７９】
サブバッグ用緩衝部材ＳＣ及び押し出し機構用緩衝部材ＰＣは、その素材として、例えばゴム等の弾性素材や、ポリエチレン等の合成樹脂素材等を用いることが好ましく、これらによりスポンジ等クッション性を有する部材とすることが好ましい。
【００８０】
このように構成されたサブバッグ３及び押し出し機構６を用いることで、図１４に示す態様でサブバッグ３を使用することができる。
【００８１】
即ち、スタンド４によりサブバッグ３を傾斜した姿勢で自立させて使用する際、図１４（ａ）に示すように、第二サブバッグ用緩衝部材ＳＣ２及び押し出し機構用緩衝部材ＰＣが接触面Ｘに接触することで、サブバッグ３及び押し出し機構６の接触面Ｘに対する接触圧が低減される。
【００８２】
また、スタンド４を折り畳み、サブバッグ３を寝かせて使用する際、図１４（ｂ）に示すように、第一サブバッグ用緩衝部材ＳＣ１及び第二サブバッグ用緩衝部材ＳＣ２が接触面Ｘに接触することで、サブバッグ３の接触面Ｘに対する接触圧が低減される。
【００８３】
本実施形態によれば、例えば接触面Ｘがグリーンの場合、繊細なグリーンの芝をサブバッグ３により傷つけてしまう恐れがなくなるため、ゴルフの初心者でも、サブバッグ３を自身の近傍に配置した状態で、安心してプレイを行うことができる。
【００８４】
また、接触面Ｘの表面形状やサブバッグ３の重量バランス等に合わせて、第一サブバッグ用緩衝部材ＳＣ１を適宜摺動させることで、サブバッグ３を寝かせて使用する際、安定的にサブバッグ３を接触面Ｘに載置することができる。
【００８５】
なお、前記各実施形態において示した各構成部材の諸形状や寸法等は一例であって、設計要求等に基づき種々変更可能である。
【符号の説明】
【００８６】
１  キャディバッグ
２  メインバッグ
３  サブバッグ
４  スタンド
５  サブバッグ格納部
６  押し出し機構
６ａ  プッシュロッド
６ｂ  運動変換部材
７  支持ロッド
８  仕切り
９  取っ手
１０  ワンタッチファスナー
１１  雄部
１１ａ  係合爪
１２  雌部
１２ａ係止面
１３  固定バンド
２０  補助具
２１  補助具本体
２２  クリップ
Ａ  格納凹部
Ｂ  格納鍔部
Ｃ  ゴルフカート
Ｇ  隙間
Ｖ  固定バンド
ＳＣ  サブバッグ用緩衝部材
ＳＣ１  第一サブバッグ用緩衝部材
ＳＣ２  第二サブバッグ用緩衝部材
ＰＣ  押し出し機構用緩衝部材
Ｘ  接触面
【図１】
2020114376.tif 000003
【図２】
2020114376.tif 000004
【図３】
2020114376.tif 000005
【図４】
2020114376.tif 000006
【図５】
2020114376.tif 000007
【図６】
2020114376.tif 000008
【図７】
2020114376.tif 000009
【図８】
2020114376.tif 000010
【図９】
2020114376.tif 000011
【図１０】
2020114376.tif 000012
【図１１】
2020114376.tif 000013
【図１２】
2020114376.tif 000014
【図１３】
2020114376.tif 000015
【図１４】
2020114376.tif 000016